(57)【要約】  本発明の一実施例による浮遊式加湿器の水はじき防止用キャップは、内部に空の空間を有し、浮遊式加湿器の排出口に結合する胴体と、前記胴体の下部周りに開口した形態で形成され、前記浮遊式加湿器から生成された加湿粒子を吸入するための少なくとも一つの吸入部と、前記胴体の上部に形成され、前記吸入された加湿粒子を排出するための排出部と、前記空間部内で胴体の下部から延長形成され、一部加湿粒子の衝突を誘導するための衝突誘導部とを含む。【選択図】図１
2020507729.tif 000002
【特許請求の範囲】
【請求項１】
内部に空の空間を有し、浮遊式加湿器の排出口に結合する胴体と、
前記胴体の下部周りに開口した形態で形成され、前記浮遊式加湿器から生成された加湿粒子を吸入するための少なくとも一つの吸入部と、
前記胴体の上部に形成され、前記吸入された加湿粒子を排出するための排出部と、
前記空間内で胴体の下部から延長形成され、一部加湿粒子の衝突を誘導するための衝突誘導部と、
を含むことを特徴とする浮遊式加湿器の水はじき防止用キャップ。
【請求項２】
前記胴体は、
外側周りに沿って突出形成される固定部を具備し、前記浮遊式加湿器の排出口内に固定して挿入されることを特徴とする請求項１に記載の浮遊式加湿器の水はじき防止用キャップ。
【請求項３】
前記衝突誘導部は、
前記排出部に向かって凹状を有し、前記胴体の中央に向かって収束するように突出する第１突出部を含むことを特徴とする請求項１に記載の浮遊式加湿器の水はじき防止用キャップ。
【請求項４】
前記胴体は、
前記衝突誘導部の下部が前記第１突出部の突出する方向及び形状に対応して凹入することによって空の空間で形成される空間部を含むことを特徴とする請求項３に記載の浮遊式加湿器の水はじき防止用キャップ。
【請求項５】
前記衝突誘導部は、
前記胴体の下側から前記排出部が形成された方向と反対方向に延長形成され、前記胴体の中央に向かって収束するように突出する第２突出部をさらに含むことを特徴とする請求項３に記載の浮遊式加湿器の水はじき防止用キャップ。
【請求項６】
前記第１突出部の位置は、前記吸入部の位置を基準として所定の臨界範囲内にあたる位置を有することを特徴とする請求項３に記載の浮遊式加湿器の水はじき防止用キャップ。
【請求項７】
前記臨界範囲は、０．８ｓ≦ｈ≦１．２ｓを満たすことを特徴とする請求項６に記載の浮遊式加湿器の水はじき防止用キャップ。
ここで、ｈは前記第１突出部の位置、ｓは前記吸入部の位置である。
【請求項８】
前記衝突誘導部の上部に形成され、前記胴体の長さ方向と交差する方向に所定の長さを有して配置される第１サブ衝突誘導部
をさらに含むことを特徴とする請求項３に記載の浮遊式加湿器の水はじき防止用キャップ。
【請求項９】
前記第１サブ衝突誘導部の両側端部は、前記胴体の下側に向かって折り曲がることを特徴とする請求項８に記載の浮遊式加湿器の水はじき防止用キャップ。
【請求項１０】
前記衝突誘導部の上部に形成され、前記胴体の長さ方向に所定の長さを有して配置される第２サブ衝突誘導部
をさらに含むことを特徴とする請求項３に記載の浮遊式加湿器の水はじき防止用キャップ。
【発明の詳細な説明】
【技術分野】
【０００１】
本発明は、水はじき防止用キャップに関し、さらに詳しくは、浮遊式加湿器から排出される加湿粒子のうち大きな粒子のはじきを防止するための浮遊式加湿器の水はじき防止用キャップに関する。
【背景技術】
【０００２】
一般的に、加湿器は、乾燥した室内で人為的に所望の湿度を維持させる器具である。即ち、加湿器は、電気によって水を粒子化するか、あるいは水蒸気を作製して室内に吹き出す装置である。
【０００３】
加湿器は、加湿方式によって超音波振動子を利用した超音波加湿器と、ヒーターや電極棒で水を加熱して蒸気を吹き出す加熱式加湿器、そして上記二つの方式の長所を結合した複合式加湿器がある。
【０００４】
ところで、最近、上記加湿器の中で洗浄などの管理が便利な浮遊式加湿器が多く使用されている。
【０００５】
しかし、浮遊式加湿器は、水に浮かべて使用するため、既存の加湿器に比べて外部振動に弱く揺れが多い。これにより、内部で作られた水滴が垂直に上がった後、内部の水面に落ちて水音が多く発生し、外部に水滴をはじく現象も発生する。
【先行技術文献】
【特許文献】
【０００６】
【特許文献１】韓国登録特許第１０−１４７９３１５号公報
【発明の概要】
【発明が解決しようとする課題】
【０００７】
本発明の目的は、胴体内部に大きな粒子の衝突を誘導する部材が実現されたキャップを浮遊式加湿器の内部に装着させて、加湿器の駆動中に揺れが発生する場合、大きな粒子が外部に排出されることを防止するための浮遊式加湿器の水はじき防止用キャップを提供することにある。
【０００８】
本発明が解決しようとする課題は、以上で言及した課題に制限されず、言及されなかったまた他の課題は、下記の記載から当業者に明確に理解されるであろう。
【課題を解決するための手段】
【０００９】
本発明の一実施例による浮遊式加湿器の水はじき防止用キャップは、内部に空の空間を有し、浮遊式加湿器の排出口に結合する胴体と、前記胴体の下部周りに開口した形態で形成され、前記浮遊式加湿器から生成された加湿粒子を吸入するための少なくとも一つの吸入部と、前記胴体の上部に形成され、前記吸入された加湿粒子を排出するための排出部と、前記空間部内で前記胴体の下部から延長形成され、一部加湿粒子の衝突を誘導するための衝突誘導部とを含む。
【００１０】
また、本発明の一実施例による前記胴体は、外側周りに沿って突出形成される固定部を具備し、前記浮遊式加湿器の排出口内に固定して挿入されることができる。
【００１１】
また、本発明の一実施例による前記衝突誘導部は、前記排出部に向かって凹状を有し、前記胴体の中央に向かって収束するように突出する第１突出部を含むことができる。
【００１２】
また、本発明の一実施例による前記胴体は、前記衝突誘導部の下部が前記第１突出部の突出する方向及び形状に対応して凹入することによって空の空間で形成される空間部を含むことができる。
【００１３】
また、本発明の一実施例による前記衝突誘導部は、前記胴体の下側から前記排出部が形成された方向と反対方向に延長形成され、前記胴体の中央に向かって収束するように突出する第２突出部をさらに含むことができる。
【００１４】
また、本発明の一実施例による前記第１突出部の位置は、前記吸入部の位置を基準として所定の臨界範囲内にあたる高さを有することができる。
【００１５】
また、本発明の一実施例による臨界範囲は、０．８ｓ≦ｈ≦１．２ｓを満たすことができる。
【００１６】
また、本発明の一実施例による浮遊式加湿器の水はじき防止用キャップは、衝突誘導部の上部に形成され、前記胴体の長さ方向と交差する方向に所定の長さを有して配置される第１サブ衝突誘導部をさらに含むことができる。
【００１７】
また、本発明の一実施例による前記第１サブ衝突誘導部の両側端部は、前記胴体の下側に向かって折り曲げることができる。
【００１８】
また、本発明の一実施例による浮遊式加湿器の水はじき防止用キャップは、前記衝突誘導部の上部に形成され、前記胴体の長さ方向に所定の長さを有して配置される第２サブ衝突誘導部をさらに含むことができる。
【００１９】
その他の実施例の具体的な事項は、詳細な説明及び添付の図面に含まれている。
【発明の効果】
【００２０】
本発明の実施例によると、胴体内部に大きな粒子の衝突を誘導する部材が実現されたキャップを浮遊式加湿器内部に装着させ、加湿器の駆動中に揺れが発生する場合、大きな粒子が外部に排出されることを防止することができる。
【００２１】
また、本発明の実施例によると、前記大きな粒子の衝突を誘導する部材を通じて相対的に小さな粒子の流動流れを排出部にガイドして、加湿機能がより円滑に行われる環境を設けることができる。
【図面の簡単な説明】
【００２２】
【図１】本発明の一実施例による浮遊式加湿器の水はじき防止用キャップを説明するために示す斜視図である。
【図２ａ】本発明の一実施例において、水はじき防止用キャップを前から見た正面図である。
【図２ｂ】本発明の一実施例において、水はじき防止用キャップを横から見た側面図である。
【図３ａ】本発明の一実施例による衝突誘導部を説明するために示す正断面図である。
【図３ｂ】本発明の一実施例による衝突誘導部の高さを説明するために示す正断面図である。
【図３ｃ】本発明の一実施例による衝突誘導部の高さを説明するために示す正断面図である。
【図４】本発明の一実施例による衝突誘導部の変形例を説明するために示す正断面図である。
【図５】本発明の一実施例による衝突誘導部の他の変形例を説明するために示す正断面図である。
【図６ａ】本発明の他の実施例による浮遊式加湿器の水はじき防止用キャップを説明するために示す正断面図である。
【図６ｂ】本発明の他の実施例による浮遊式加湿器の水はじき防止用キャップを説明するために示す正断面図である。
【図７】本発明の実施例による浮遊式加湿器の水はじき防止用キャップが浮遊式加湿器に装着される使用状態図である。
【発明を実施するための形態】
【００２３】
本発明の利点及び／または特徴、そしてそれらを達成する方法は、添付の図面と共に詳しく後述する実施例を参照すれば明確になるであろう。しかし、本発明は、以下で開示される実施例に限定されるものではなく、互いに異なる多様な形態に実現されることができ、但し、本実施例は、本発明の開示を完全にし、本発明が属する技術分野で通常の知識を持った者に発明の範疇を完全に伝えるために提供されるものであり、本発明は、請求項の範疇によって定義されるのみである。明細書全体にわたって同一の参照符号は同一の構成要素を指称する。
【００２４】
図１は、本発明の一実施例による浮遊式加湿器の水はじき防止用キャップを説明するために示す斜視図であり、図２ａは、本発明の一実施例において、水はじき防止用キャップを前から見た正面図であり、図２ｂは、本発明の一実施例において、水はじき防止用キャップを横から見た側面図である。
【００２５】
図１、図２ａ及び図２ｂを参照すると、本発明の一実施例による浮遊式加湿器１２０の水はじき防止用キャップは、胴体１０、吸入部１１０、排出部１２０及び衝突誘導部１３０を含む。
【００２６】
胴体１０は、中が空いている中空体として、内部に断面が円型である円筒状の空の空間が形成されることができる。胴体１０の内部空間では、浮遊式加湿器１２０から排出される加湿粒子の流動を行うことができる。
【００２７】
胴体１０は、浮遊式加湿器１２０から排出される加湿粒子が直接的に通り過ぎるように、浮遊式加湿器１２０の排出口に結合することができる。
【００２８】
そのため、胴体１０は、外側周りに沿って突出形成される固定部１２を具備することができる。
【００２９】
一例として、胴体１０は、固定部１２が浮遊式加湿器１２０の排出口内に固定して挿入されることができる。この時、浮遊式加湿器１２０の排出口内周には、固定部１２が固定されるための部材（図７の「２２」参照）として係止突起（図示せず）または固定具（図示せず）などが形成されることができる。
【００３０】
他の例として、胴体１０は、固定部１２が浮遊式加湿器１２０の排出口の上端部に固定して安着されることができる。胴体１０が浮遊式加湿器１２０の排出口上端により安定して安着されるために、固定部１２が胴体１０から突出する長さは、浮遊式加湿器１２０の排出口の外周及び内周間の長さと同一であるか大きく実現することが好ましい。
【００３１】
吸入部１１０は、胴体１０の下部周りに開口した形態で形成されることができる。
【００３２】
即ち、吸入部１１０は、胴体１０の下部で周りの一部が開放されることによって形成されることができ、本実施例では、胴体１０に二つの吸入部１１０が形成されることができるが、個数に限定されない。
【００３３】
吸入部１１０は、浮遊式加湿器１２０から生成された加湿粒子を吸入することができ、これにより、胴体１０の内部空間に加湿粒子が移動することができる。
【００３４】
排出部１２０は、胴体１０の上部が開放されることによって形成されるもので、加湿程度を考慮して一部だけ開放されるか全体が開放されることができる。
【００３５】
排出部１２０は、吸入部１１０から吸入された加湿粒子のうち後述する衝突誘導部１３０に衝突されない一部粒子が排出されることができる。
【００３６】
衝突誘導部１３０は、一部の加湿粒子の衝突を誘導するために、空間部１４内で胴体１０の下部から延長形成されることができる。
【００３７】
即ち、衝突誘導部１３０は、吸入部１１０から吸入された加湿粒子のうち空気粒子より大きな粒子の衝突を誘導するための役割を行うことができる。
【００３８】
水面上に浮かべて使用する浮遊式加湿器１２０の特性上、一般の固定式加湿器に比べて駆動中に揺れが発生して、加湿排出口の方向がずれる可能性がある。このような場合、排出された加湿粒子のうちサイズの大きな粒子が垂直に落ちず周辺にはじかれるという問題が発生する。
【００３９】
かかる問題を緩和するために、本発明では、衝突誘導部１３０を実現してサイズの大きな粒子の排出を遮断することができる。
【００４０】
以下では、図３ａ〜図３ｃ、図４及び図５を参照して、衝突誘導部１３０について詳しく説明する。
【００４１】
参考として、図３ａは、本発明の一実施例による衝突誘導部を説明するために示す正断面図であり、図３ｂ及び図３ｃは、本発明の一実施例による衝突誘導部の高さを説明するために示す正断面図であり、図４は、本発明の一実施例による衝突誘導部の変形例を説明するために示す正断面図であり、図５は、本発明の一実施例による衝突誘導部の他の変形例を説明するために示す正断面図である。
【００４２】
図３ａに示すように、衝突誘導部１３０は、胴体１０の下部から上部に向かって延長して形成される第１突出部１３２を含むことができる。
【００４３】
第１突出部１３２は、排出部１２０に向かって凹状を有し、突出形成されることができるが、具体的に、胴体１０の中央に向かって収束する形態で突出することができる。これにより、衝突誘導部１３０は、上部にいくほどますます細くなる形態の傾斜構造を有することができる。
【００４４】
ここで、正常な加湿機能及び大きな加湿粒子のはじき防止機能を共に考慮して、第１突出部１３２の位置が実現されることができる。
【００４５】
即ち、第１突出部１３２が相対的に低い位置を有する場合、大きな加湿粒子の遮断が効果的に行われず、これと反対に第１突出部１３２が相対的に高い位置を有する場合、大きな加湿粒子と共に小さい加湿粒子も遮断するようになり、加湿効果を落とす可能性がある。
【００４６】
そのため、第１突出部１３２の位置は、吸入部１１０の位置を基準として所定の臨界範囲内にあたる位置を有することができる。
【００４７】
前記臨界範囲は、０．８ｓ≦ｈ≦１．２ｓを満たすことができる。ここで、ｓは吸入部１１０の位置であり、ｈは第１突出部１３２の位置である。
【００４８】
一例として、図３ｂに示すように、第１突出部１３２の位置は、吸入部１１０の位置より所定長さほど低く実現されることができる。例えば、第１突出部１３２の位置は、吸入部１１０の位置の８０％で実現されることができる。
【００４９】
他の例として、図３ｃに示すように、第１突出部１３２の位置は、吸入部１１０の位置より所定長さほど高く実現されることができる。例えば、第１突出部１３２の位置は、吸入部１１０の位置の１２０％で実現されることができる。
【００５０】
上記のような構造により、吸入部１１０から吸入された加湿粒子のうち空気粒子より大きな粒子が第１突出部１３２にぶつかって排出できなくなり、サイズの大きな粒子が外部にはじかれることを予防することができる。
【００５１】
一方、第１突出部１３２は、吸入された加湿粒子のうち空気粒子より小さな粒子をガイドして、流動流れを円滑にすることができる。
【００５２】
図４に示すように、衝突誘導部１３０は、胴体１０の下部から浮遊式加湿器１２０と結合する方向に向かって延長して形成される第２突出部１３４をさらに含むことができる。
【００５３】
第２突出部１３４は、排出部１２０が形成された方向と反対方向に延長形成されることができるが、具体的に、胴体１０の中央に向かって収束する形態で突出することができる。これにより、衝突誘導部１３０は、下部にいくほどますます細くなる形態の傾斜構造を有することができる。
【００５４】
上記のような構造により、加湿粒子が吸入部１１０に吸入される前に空気粒子より大きな加湿粒子のうち一部が第２突出部１３４にぶつかるようになり、大きな加湿粒子のうち一部粒子の排出を一次的に遮断することができる。
【００５５】
また、大きな加湿粒子のうち第２突出部１３４にぶつからなかった残りの粒子は、吸入部１１０に吸入されて第１突出部１３２に二次的にぶつかることができる。これにより、大きな加湿粒子の排出を二重で遮断して、浮遊式加湿器１２０をより便利に使用することができる。
【００５６】
図５に示すように、胴体１０は、衝突誘導部１３０の内側一部が窪むことにより形成される空間部１４を含むことができる。
【００５７】
空間部１４は、衝突誘導部１３０の下部が凹入することによって形成される空の空間として、第１突出部１３２の突出する方向及び形状に対応して凹入することができる。これにより、空間部１４は、上部にいくほどますます細くなる形態の傾斜構造を有することができる。
【００５８】
上記のような構造により、加湿粒子が吸入部１１０に吸入される前に空気粒子より大きな加湿粒子のうち一部が空間部１４に流れ込みぶつかるようになり、大きな加湿粒子のうち一部粒子の排出を一次的に遮断することができる。
【００５９】
また、大きな加湿粒子のうち空間部１４にぶつからなかった残りの粒子は、吸入部１１０に吸入されて第１突出部１３２に二次的にぶつかることができる。
【００６０】
図６ａ及び図６ｂは、本発明の他の実施例による浮遊式加湿器の水はじき防止用キャップを説明するために示す正断面図である。
【００６１】
図６ａを参照すると、本発明の他の実施例による浮遊式加湿器１２０の水はじき防止用キャップは、胴体１０、吸入部１１０、排出部１２０、衝突誘導部１３０及び第１サブ衝突誘導部１４２を含むことができる。
【００６２】
本発明の他の実施例による胴体１０、吸入部１１０、排出部１２０及び衝突誘導部１３０は、本発明の一実施例による胴体１０、吸入部１１０、排出部１２０及び衝突誘導部１３０と同一及び類似した構成として具体的な説明は省略し、第１サブ衝突誘導部１４２について詳しく説明する。
【００６３】
第１サブ衝突誘導部１４２は、衝突誘導部１３０の上部に所定長さを有して形成され、胴体１０の長さ方向と交差する方向に配置されることができる。
【００６４】
これにより、大きな加湿粒子のうち第１突出部１３２にぶつからなかった残りの粒子が第１サブ衝突誘導部１４２に衝突することで、大きな加湿粒子の排出を二重で遮断することができる。
【００６５】
それだけでなく、第１突出部１３２にぶつかった大きな加湿粒子が下方ではなく他の方向に移動できないように流動流れを変化させて、大きな加湿粒子の排出をより効果的に遮断することができる。
【００６６】
この時、第１サブ衝突誘導部１４２の両側端部は、胴体１０の下側に向かって折り曲がることができる。即ち、第１サブ衝突誘導部１４２の両端は、下方に曲がった形状を有することができる。
【００６７】
これにより、第１サブ衝突誘導部１４２にぶつかった加湿粒子が最大限下方に移動するように流動流れを曲げて、大きな加湿粒子の排出が遮断される効果を倍加することができる。
【００６８】
参考として、本実施例における第１サブ衝突誘導部１４２は、断面が矩形状を有するように実現されたが、これに限定されず、楕円形状、正四角形状などの多様な形状に実現されることができる。
【００６９】
図６ｂを参照すると、本発明の他の実施例による浮遊式加湿器１２０の水はじき防止用キャップは、胴体１０、吸入部１１０、排出部１２０、衝突誘導部１３０及び第２サブ衝突誘導部１４４を含むことができる。
【００７０】
本発明の他の実施例による胴体１０、吸入部１１０、排出部１２０及び衝突誘導部１３０は、本発明の一実施例による胴体１０、吸入部１１０、排出部１２０及び衝突誘導部１３０と同一及び類似した構成として具体的な説明は省略し、第２サブ衝突誘導部１４４について詳しく説明する。
【００７１】
第２サブ衝突誘導部１４４は、衝突誘導部１３０の上部に所定長さを有して形成され、胴体１０の長さ方向に配置されることができる。
【００７２】
これにより、大きな加湿粒子のうち第１突出部１３２にぶつからなかった残りの粒子が第１サブ衝突誘導部１４２に衝突することで、大きな加湿粒子の排出を二重で遮断することができる。
【００７３】
それだけでなく、吸入された加湿粒子のうち空気粒子より小さな粒子が排出部１２０に向かうようにガイドして、流動流れを円滑にすることもできる。
【００７４】
図７は、本発明の実施例による浮遊式加湿器１２０の水はじき防止用キャップが浮遊式加湿器１２０に装着される使用状態図である。
【００７５】
図７に示すように、本発明の実施例による浮遊式加湿器１２０の水はじき防止用キャップは、浮遊式加湿器１２０の排出口と結合することができる。
【００７６】
本発明の実施例による水はじき防止用キャップは、胴体１０の外側周りに沿って突出形成された固定部１２によって浮遊式加湿器１２０の排出口内に固定して挿入されることができる。この時、浮遊式加湿器１２０の排出口内周には、固定部１２が固定されるための部材２２として、係止突起（図示せず）または固定具（図示せず）などが形成されることができる。
【００７７】
水はじき防止用キャップが浮遊式加湿器１２０の排出口内に挿入されてから、排出された加湿粒子を外部にガイドすることができるガイド栓が排出口の上端に結合して使用されることができる。
【００７８】
一方、図示していないが、水はじき防止用キャップは、固定部１２が浮遊式加湿器１２０の排出口の上端部に固定して安着されることができる。
【００７９】
これにより、本発明の実施例によると、水はじき防止用キャップが浮遊式加湿器１２０から着脱可能であり、使用の便利性を増大させることができる。
【００８０】
これまで本発明による具体的な実施例について説明したが、本発明の範囲から逸脱しない限度内では様々な変形が可能なことは言うまでもない。従って、本発明の範囲は説明された実施例に限定し定められてはならず、後述する特許請求の範囲だけでなく、この特許請求の範囲と均等なものなどによって定められるべきである。
【００８１】
以上のように、本発明は、限定された実施例と図面によって説明されたが、本発明は、上記実施例に限定されるものではなく、これは本発明が属する分野で通常の知識を持った者であれば、このような記載から多様な修正及び変形が可能である。従って、本発明の思想は、下記に記載した特許請求の範囲によってのみ把握されなければならず、その均等または等価的変形の全ては本発明思想の範疇に属するといえる。
【符号の説明】
【００８２】
１０：  胴体
１２：  固定部
１４：  空間部
２０：  浮遊式加湿器
２２：  固定部材
１１０：  吸入部
１２０：  排出部
１３０：  衝突誘導部
１３２：  第１突出部
１３４：  第２突出部
１４２：  第１サブ衝突誘導部
１４４：  第２サブ衝突誘導部
【図１】
2020507729.tif 000003
【図２ａ】
2020507729.tif 000004
【図２ｂ】
2020507729.tif 000005
【図３ａ】
2020507729.tif 000006
【図３ｂ】
2020507729.tif 000007
【図３ｃ】
2020507729.tif 000008
【図４】
2020507729.tif 000009
【図５】
2020507729.tif 000010
【図６ａ】
2020507729.tif 000011
【図６ｂ】
2020507729.tif 000012
【図７】
2020507729.tif 000013
【国際調査報告】
2020507729.tif 000014
2020507729.tif 000015
2020507729.tif 000016
2020507729.tif 000017